(57)【要約】      （修正有）【課題】縦長の向きおよび横長の向きのいずれの状態で使用する場合でも良好な音の再生または収録を、簡易な構成で可能とする携帯型の電子機器を提供する。【解決手段】縦長形状の画面を有する表示装置と、第１スピーカと、第２スピーカと、支持機構とを備える携帯型の電子機器である。支持機構は、所定距離だけ離れた間隔で配置される第１スピーカおよび第２スピーカが画面に対して縦方向に並んだ向きと、第１スピーカおよび第２スピーカが画面に対して横方向に並んだ向きとが相互に変化可能となるように各スピーカを支持する。【選択図】図１Ａ
2007067632.tif 000002
【特許請求の範囲】
【請求項１】
縦長形状の画面を有する表示装置と、
第１スピーカと、
第２スピーカと、
所定距離だけ離れた間隔で配置される前記第１スピーカおよび前記第２スピーカが前記画面に対して縦方向に並んだ向きと、前記第１スピーカおよび前記第２スピーカが前記画面に対して横方向に並んだ向きとが相互に変化可能となるように各スピーカを支持する支持機構とを備える、携帯型の電子機器。
【請求項２】
前記支持機構は、
前記画面に対して平行な状態で前記第１スピーカおよび前記第２スピーカを支持する第１支持部と、
前記第１支持部を前記画面に対して垂直な軸で回転可能に支持する第２支持部とを含む、請求項１に記載の電子機器。
【請求項３】
前記第２支持部は、前記第１支持部を回転させるための駆動力を発生させる駆動力発生手段を有しており、
前記駆動力発生手段を制御することによって前記第１支持部の回転を制御する回転制御部と、
前記画面に表示すべき画像が前記画面の縦方向に表示されるか横方向に表示されるかを検出する表示方向検出部と、
前記画面の縦方向に画像が表示されることが検出された場合、前記第１スピーカおよび前記第２スピーカが前記画面に対して横方向に並べた向きに支持されるように前記回転制御部に対して指示を行い、前記画面の横方向に画像が表示されることが検出された場合、前記第１スピーカおよび前記第２スピーカが前記画面に対して縦方向に並べた向きに支持されるように前記回転制御部に対して指示を行う方向指示部とをさらに備える、請求項２に記載の電子機器。
【請求項４】
縦長形状の画面を有する表示装置と、
開口部を有し、内部に空間が形成される形状を有する第１筐体と、
前記第１筐体の内部空間に配置される第１スピーカと、
開口部を有し、内部に空間が形成される形状を有する第２筐体と、
前記第２筐体の内部空間に配置される第２スピーカと、
前記第１筐体および第２筐体の各開口部を覆うように配置され、前記第１筐体の内部空間と外部とを接続する第１音孔と、前記第２筐体の内部空間と外部とを接続する第２音孔とが設けられた音孔形成部材と、
前記第１音孔および前記第２音孔が前記画面に対して縦方向に並んだ向きと、前記第１音孔および前記第２音孔が前記画面に対して横方向に並んだ向きとが相互に変化可能となるように前記音孔形成部材を支持する支持機構とを備える、携帯型の電子機器。
【請求項５】
前記支持機構は、前記音孔形成部材を前記画面に対して垂直な軸で回転可能に支持する、請求項４に記載の電子機器。
【請求項６】
前記第１音孔は、前記第１音孔および前記第２音孔が前記画面に対して縦方向に並んだ向きに配置される場合であっても、横方向に並んだ向きに配置される場合であっても、前記第１筐体の内部空間に接続される位置に設けられ、
前記第２音孔は、前記第１音孔および前記第２音孔が前記画面に対して縦方向に並んだ向きに配置される場合であっても、横方向に並んだ向きに配置される場合であっても、前記第２筐体の内部空間に接続される位置に設けられる、請求項４に記載の電子機器。
【請求項７】
前記支持機構は、前記音孔形成部材を回転させるための駆動力を発生させる発生手段を有しており、
前記駆動力発生手段を制御することによって前記音孔形成部材の回転を制御する回転制御部と、
前記画面に表示すべき画像が前記画面の縦方向に表示されるか横方向に表示されるかを検出する表示方向検出部と、
前記画面の縦方向に画像が表示されることが検出された場合、前記第１音孔および前記第２音孔が前記画面に対して横方向に並べた向きになるように前記回転制御部に対して指示を行い、前記画面の横方向に画像が表示されることが検出された場合、前記第１音孔および前記第２音孔が前記画面に対して縦方向に並べた向きになるように前記回転制御部に対して指示を行う方向指示部とをさらに備える、請求項４に記載の電子機器。
【請求項８】
前記第１スピーカは、前記第１音孔および前記第２音孔が前記画面に対して縦方向に並んだ向きとなる場合と横方向に並んだ向きとなる場合とで、第１音孔までの距離が等しくなる位置に配置され、
前記第２スピーカは、前記第１音孔および前記第２音孔が前記画面に対して縦方向に並んだ向きとなる場合と横方向に並んだ向きとなる場合とで、第２音孔までの距離が等しくなる位置に配置される、請求項４に記載の電子機器。
【請求項９】
縦長形状の画面を有する表示装置と、
内部に空間が形成される形状を有し、内部空間と外部とを接続する第１音孔および第２音孔が設けられる第１筐体と、
前記第１筐体の内部空間に配置される第１スピーカと、
内部に空間が形成される形状を有し、内部空間と外部とを接続するとともに前記第１音孔と前記画面に対して縦方向に並ぶ位置に位置する第３音孔と、内部空間と外部とを接続するとともに前記第２音孔と前記画面に対して横方向に並ぶ位置に位置する第４音孔とが設けられる第２筐体と、
前記第２筐体の内部空間に配置される第２スピーカと、
前記第１音孔、前記第２音孔、前記第３音孔および前記第４音孔を開閉可能な音孔開閉部材とを備える、携帯型の電子機器。
【請求項１０】
前記音孔開閉部材は、前記第１音孔および前記第３音孔を同時に閉塞させることが可能で、かつ、前記第２音孔および前記第４音孔を同時に閉塞させることが可能な大きさの板状部材であり、
前記音孔開閉部材が前記第１音孔および前記第３音孔を閉塞させる状態と、前記音孔開閉部材が前記第２音孔および前記第４音孔を閉塞させる状態とを相互に変化可能に前記音孔開閉部材を支持する支持機構をさらに備える、請求項９に記載の電子機器。
【請求項１１】
前記支持機構は、前記音孔開閉部材を前記画面に対して垂直な軸で回転可能に支持する、請求項１０に記載の電子機器。
【請求項１２】
前記支持機構は、前記音孔開閉部材を回転させるための駆動力を発生させる発生手段を有しており、
前記駆動力発生手段を制御することによって前記音孔開閉部材の回転を制御する回転制御部と、
前記画面に表示すべき画像が前記画面の縦方向に表示されるか横方向に表示されるかを検出する表示方向検出部と、
前記画面の縦方向に画像が表示されることが検出された場合、前記音孔開閉部材が前記第１音孔および前記第３音孔を閉塞する状態となるように前記回転制御部に対して指示を行い、前記画面の横方向に画像が表示されることが検出された場合、前記音孔開閉部材が前記第２音孔および前記第４音孔を閉塞する状態となるように前記回転制御部に対して指示を行う方向指示部とをさらに備える、請求項１１に記載の電子機器。
【請求項１３】
前記第１スピーカは、前記第１音孔までの距離と前記第２音孔までの距離とが等しくなる位置に配置され、
前記第２スピーカは、前記第３音孔までの距離と前記第４音孔までの距離とが等しくなる位置に配置される、請求項９に記載の電子機器。
【請求項１４】
前記第１スピーカに入力される音声信号に対して所定のフィルタ特性でフィルタ処理を行うとともに、前記第２スピーカに入力される音声信号に対して所定のフィルタ特性でフィルタ処理を行うことによって、前記第１スピーカから再生される音および前記第２スピーカから再生される音による音像の位置を制御する制御フィルタ部をさらに備える、請求項１、請求項４および請求項９のいずれかに記載の電子機器。
【請求項１５】
縦長形状の画面を有する表示装置と、
第１マイクロフォンと、
第２マイクロフォンと、
所定の距離離れた間隔で配置される前記第１マイクロフォンおよび前記第２マイクロフォンを、前記画面に対して縦方向に並べた向きと横方向に並べた向きとを相互に変化可能に支持する支持機構とを備える、携帯型の電子機器。
【請求項１６】
縦長形状の画面を有する表示装置と、
内部に空間が形成される形状を有する第１筐体と、
前記第１筐体の内部空間に配置される第１マイクロフォンと、
内部に空間が形成される形状を有する第２筐体と、
前記第２筐体の内部空間に配置される第２マイクロフォンと、
前記第１筐体および第２筐体の各開口部を覆うように配置され、前記第１筐体の内部空間と外部とを接続する第１音孔と、前記第２筐体の内部空間と外部とを接続する第２音孔とが設けられた音孔形成部材と、
前記第１音孔および前記第２音孔が前記画面に対して縦方向に並んだ向きと横方向に並んだ向きとを相互に変化可能となるように前記音孔形成部材を支持する支持機構とを備える、携帯型の電子機器。
【請求項１７】
縦長形状の画面を有する表示装置と、
内部に空間が形成される形状を有し、内部空間と外部とを接続する第１音孔および第２音孔が設けられる第１筐体と、
前記第１筐体の内部空間に配置される第１マイクロフォンと、
内部に空間が形成される形状を有し、内部空間と外部とを接続するとともに前記第１音孔と前記画面に対して縦方向に並ぶ位置に位置する第３音孔と、内部空間と外部とを接続するとともに前記第２音孔と前記画面に対して横方向に並ぶ位置に位置する第４音孔とが設けられる第２筐体と、
前記第２筐体の内部空間に配置される第２マイクロフォンと、
前記第１音孔、前記第２音孔、前記第３音孔および前記第４音孔を開閉可能な音孔開閉部材とを備える、携帯型の電子機器。
【発明の詳細な説明】
【技術分野】
【０００１】
本発明は、電子機器に関し、より特定的には、表示装置とスピーカまたはマイクロフォンとを備える電子機器に関する。
【背景技術】
【０００２】
近年、携帯電話などを代表とする携帯端末において、着信メロディや音楽やゲーム効果音の高品質再生に関する技術が考えられている。特に音像制御技術を用いた３Ｄ再生機能が注目されており、この機能は種々の携帯端末に搭載されている。音を再生する音響変換機としては、一般的にはスピーカやヘッドホンが用いられる。
【０００３】
スピーカでの音像制御技術に関しては、頭部伝達関数（Ｈｅａｄ  Ｒｅｌａｔｅｄ  Ｔｒａｎｓｆｅｒ  Ｆｕｎｃｔｉｏｎｓ）を用いた方式が多くの研究者によって研究されてきている。図１３Ａおよび図１３Ｂは、２つのスピーカから音を再生する場合に頭部伝達関数を用いた制御方式を説明するための図である。図１３Ａは、目標とする音源７０１と受聴者７０２との関係を示す図である。図１３Ａにおいて、音源７０１から受聴者７０２の左耳までの伝達関数をＨ１とし、右耳までの伝達関数をＨ２と表す。図１３Ａにおいては、音源７０１が受聴者７０２の左側にあるので、右耳より左耳の方が早く音が到達し、かつ、音が大きい。一方、図１３Ｂは、制御スピーカ７０６および７０７を用いて仮想音源７０３を実現するシステムを示す図である。図１３Ｂにおいて、制御スピーカ７０６から受聴者７０２の左耳までの伝達関数をＨ３とし、右耳までの伝達関数をＨ４と表す。また、制御スピーカ７０７から受聴者７０２の左耳までの伝達関数をＨ５とし、右耳までの伝達関数をＨ６と表す。また、図１３Ｂに示すシステムでは、制御スピーカ７０６の入力側には制御フィルタ７０４が設けられ、制御スピーカ７０７の入力側には制御フィルタ７０５が設けられる。
【０００４】
図１３Ｂに示すシステムの再生系を数式で表すと、次の式（１）のようになる。
【数１】
2007067632.tif 000003
上式（１）において、Ｌ（ω）は制御フィルタ７０４のフィルタ特性であり、Ｒ（ω）は制御フィルタ７０５のフィルタ特性である。式（１）より、各制御フィルタ７０４および７０５のフィルタ特性は、次の式（２）のようになる。
【数２】
2007067632.tif 000004
式（２）を用いて各フィルタ特性Ｌ（ω）およびＲ（ω）を算出し、算出された各フィルタ特性Ｌ（ω）およびＲ（ω）を各制御フィルタ７０４および７０５に設定することによって、仮想音源７０３（目標音源）の位置に音像を定位することができる。すなわち、制御スピーカ７０６および７０７から音を再生したときに、仮想音源７０３の位置に音源があるかのように受聴者７０２に知覚させることができる。なお、上式（１）および（２）では各フィルタ特性および各伝達関数は周波数領域で表されている。周波数領域で表された式（１）を畳み込み行列を用いて時間領域に変換し、最小二乗的に制御フィルタを算出する方法もある。
【０００５】
上式（２）からわかるとおり、制御フィルタ７０４および７０５のフィルタ特性は、目標音像の位置、受聴者の位置、および制御スピーカ位置の条件に依存して設定される。したがって、完全な制御を実現するためには、各条件が変更された場合には制御フィルタの設定も変更する必要がある。
【０００６】
また、上記の音像制御技術は、ミニコンポやＴＶ等の据え置き型の機器で用いられる場合が多かったが、近年、携帯電話等の携帯型の機器においても用いられる場合がある。また、近年では、テレビ放送を受信することができる携帯電話が登場している。このような携帯電話では、着信メロディや音楽やゲームの効果音等を再生する場合や、テレビ放送の音声を再生する場合に、上記の音像制御技術が利用される。
【０００７】
一般的な携帯電話は縦長形状のディスプレイを有しており、ディスプレイは通常時には縦長の向きで利用される。つまり、着信メロディや音楽を再生する場合には、ディスプレイが縦長の向きとなるように携帯電話は縦向きで利用される。一方、ゲーム画像を表示したりテレビを再生する場合には、ディスプレイを有効に利用するためにディスプレイは横長の向きで利用される。つまり、携帯電話は横向きで利用される。このように、携帯電話等の携帯機器では、利用状況によってディスプレイの向きが変化するので、携帯電話の向きが利用状況によって異なるという特徴がある。
【０００８】
上述したような２つのスピーカを用いた音像制御を携帯電話等において実現するためには、再生音を聴取する使用者に対する横方向に関して異なる位置に各スピーカを配置する必要がある。上記のように、携帯電話の向きは利用状況によって異なるので、携帯電話が縦向きの場合にも横向きの場合にも、各スピーカの位置が横方向に関して異なる位置となるように各スピーカを配置する必要がある。そのため、従来では、以下のような技術が考えられている。
【０００９】
特許文献１には、携帯電話を縦向きに使用する場合に用いるスピーカと、携帯電話を横向きに使用する場合に用いるスピーカとを個別に設ける技術が記載されている。図１４は、特許文献１に記載の電子機器を示す図である。図１４に示す電子機器８０１は、発音手段（スピーカ）と表示パネルとを一体的に設けた構成であり、表示パネル８０２と、スピーカ８０３、８０４、および８０５とを備えている。この電子機器８０１においては、表示パネル８０２を縦長の向きで使用する場合にはスピーカ８０３および８０４が使用され、表示パネル８０２を横長の向きで使用する場合にはスピーカ８０４および８０５が使用される。これによって、表示パネル８０２が縦長の向きの場合であっても横長の向きの場合であっても、２つのスピーカは横方向に関して異なる位置に配置されることになる。
【００１０】
また、特許文献２には、２つのスピーカを斜めに配置する技術が記載されている。図１５は、特許文献１に記載の携帯端末を示す図である。図１５に示す携帯端末９０１は、スピーカ９０２および９０３と、ディスプレイ９０４とを備えている。図１５においては、スピーカ９０２および９０３は、ディスプレイ９０４に対して斜めに、すなわち、ディスプレイ９０４の対角線の位置に配置されている。２つのスピーカを図１５に示す配置にすることによって、ディスプレイ９０４が縦長の向きの場合であっても横長の向きの場合であっても、２つのスピーカは横方向に関して異なる位置に配置されることになる。
【特許文献１】特開２００３−２４４７８６号公報
【特許文献２】特開２００３−７８８０１号公報
【発明の開示】
【発明が解決しようとする課題】
【００１１】
しかし、上記特許文献１に記載の技術では、携帯機器はスピーカを少なくとも３つ搭載する必要があり、装置の大型化および複雑化を招く要因となる。このことは、小型化軽量化が特に要求される携帯機器において大きな問題である。また、特許文献１に記載の技術では、再生に用いる２つのスピーカの間隔が、縦向きの場合と横向きの場合とで異なる。そのため、縦向きの場合と横向きの場合とによってフィルタ係数を切り替える必要がある。フィルタ係数を２種類用意しておかなければならないので、多くのメモリ量が必要になるという問題がある。
【００１２】
また、特許文献２に記載の技術では、２つのスピーカの位置関係が縦向きの場合と横向きの場合とで異なっている。そのため、特許文献２に記載の技術も特許文献１に記載の技術と同様、フィルタ係数を２種類用意しなければならず、多くのメモリ量が必要になるという問題がある。また、特許文献２に記載の技術では、縦向きの場合であっても横向きの場合であっても、２つのスピーカが斜めに配置されるので、２つのスピーカが左右に平行に配置される場合に比べて、フィルタ係数の設定が困難になり、左右対称となるように音像制御を行うことが困難になるという課題もある。
【００１３】
また、図１３に示すような制御フィルタを用いた音像制御を行う場合のみならず、通常のステレオ再生を行う場合においても、良好な再生音を得るためには２つのスピーカが左右に平行に配置されていることが好ましい。したがって、上記特許文献２に記載の技術では、良好な再生音を得ることができないおそれがあった。
【００１４】
また、以上に説明した問題はスピーカについてのみでなく、収録用のマイクロフォンに関しても同様である。すなわち、例えば２つのマイクロフォンを使用してステレオ収録する場合においても、良好なステレオ収録を行うためには、装置の向きが縦長の向きか横長の向きかに応じて、マイクロフォンを適切に配置することが望ましい。今後は携帯機器を初めとする電子機器において、臨場感ある再生および収録を実現するための機能が搭載される可能性が高く、その際、利用状況に応じた収録を行うということは非常に重要な課題であると考えられる。
【００１５】
それ故、本発明の目的は、縦長の向きおよび横長の向きのいずれの状態で使用する場合でも良好な音の再生または収録を、簡易な構成で可能とする携帯型の電子機器を提供することである。
【課題を解決するための手段】
【００１６】
本発明では、上記課題を解決するために、次の構成を採用した。すなわち、第１の発明は、縦長形状の画面を有する表示装置と、第１スピーカと、第２スピーカと、所定距離だけ離れた間隔で配置される第１スピーカおよび第２スピーカが画面に対して縦方向に並んだ向きと、第１スピーカおよび第２スピーカが画面に対して横方向に並んだ向きとが相互に変化可能となるように各スピーカを支持する支持機構とを備える、携帯型の電子機器である。
【００１７】
また、第２の発明においては、支持機構は、画面に対して平行な状態で第１スピーカおよび第２スピーカを保持する第１支持部と、第１支持部を画面に対して垂直な軸で回転可能に支持する第２支持部とを含んでいてもよい。
【００１８】
また、第３の発明においては、第２支持部は、第１支持部を回転させるための駆動力を発生させる駆動力発生手段を有していてもよい。このとき、電子機器は、駆動力発生手段を制御することによって第１支持部の回転を制御する回転制御部と、画面に表示すべき画像が画面の縦方向に表示されるか横方向に表示されるかを検出する表示方向検出部と、画面の縦方向に画像が表示されることが検出された場合、第１スピーカおよび第２スピーカが画面に対して横方向に並べた向きに支持されるように回転制御部に対して指示を行い、画面の横方向に画像が表示されることが検出された場合、第１スピーカおよび第２スピーカが画面に対して縦方向に並べた向きに支持されるように回転制御部に対して指示を行う方向指示部とをさらに備える。
【００１９】
また、第４の発明は、縦長形状の画面を有する表示装置と、開口部を有し、内部に空間が形成される形状を有する第１筐体と、第１筐体の内部空間に配置される第１スピーカと、開口部を有し、内部に空間が形成される形状を有する第２筐体と、第２筐体の内部空間に配置される第２スピーカと、第１筐体および第２筐体の各開口部を覆うように配置され、第１筐体の内部空間と外部とを接続する第１音孔と、第２筐体の内部空間と外部とを接続する第２音孔とが設けられた音孔形成部材と、第１音孔および第２音孔が画面に対して縦方向に並んだ向きと、第１音孔および第２音孔が画面に対して横方向に並んだ向きとが相互に変化可能となるように音孔形成部材を支持する支持機構とを備える、携帯型の電子機器である。
【００２０】
また、第５の発明においては、支持機構は、音孔形成部材を画面に対して垂直な軸で回転可能に支持するようにしてもよい。
【００２１】
また、第６の発明においては、第１音孔は、第１音孔および第２音孔が画面に対して縦方向に並んだ向きに配置される場合であっても、横方向に並んだ向きに配置される場合であっても、第１筐体の内部空間に接続される位置に設けられてもよい。第２音孔は、第１音孔および第２音孔が画面に対して縦方向に並んだ向きに配置される場合であっても、横方向に並んだ向きに配置される場合であっても、第２筐体の内部空間に接続される位置に設けられる。
【００２２】
また、第７の発明においては、支持機構は、音孔形成部材を回転させるための駆動力を発生させる発生手段を有していてもよい。このとき、電子機器は、駆動力発生手段を制御することによって音孔形成部材の回転を制御する回転制御部と、画面に表示すべき画像が画面の縦方向に表示されるか横方向に表示されるかを検出する表示方向検出部と、画面の縦方向に画像が表示されることが検出された場合、第１音孔および第２音孔が画面に対して横方向に並べた向きになるように回転制御部に対して指示を行い、画面の横方向に画像が表示されることが検出された場合、第１音孔および第２音孔が画面に対して縦方向に並べた向きになるように回転制御部に対して指示を行う方向指示部とをさらに備える。
【００２３】
また、第８の発明においては、第１スピーカは、第１音孔および第２音孔が画面に対して縦方向に並んだ向きとなる場合と横方向に並んだ向きとなる場合とで、第１音孔までの距離が等しくなる位置に配置されてもよい。第２スピーカは、第１音孔および第２音孔が画面に対して縦方向に並んだ向きとなる場合と横方向に並んだ向きとなる場合とで、第２音孔までの距離が等しくなる位置に配置される。
【００２４】
また、第９の発明は、縦長形状の画面を有する表示装置と、内部に空間が形成される形状を有し、内部空間と外部とを接続する第１音孔および第２音孔が設けられる第１筐体と、第１筐体の内部空間に配置される第１スピーカと、内部に空間が形成される形状を有し、内部空間と外部とを接続するとともに第１音孔と画面に対して縦方向に並ぶ位置に位置する第３音孔と、内部空間と外部とを接続するとともに第２音孔と画面に対して横方向に並ぶ位置に位置する第４音孔とが設けられる第２筐体と、第２筐体の内部空間に配置される第２スピーカと、第１音孔、第２音孔、第３音孔および第４音孔を開閉可能な音孔開閉部材とを備える、携帯型の電子機器である。
【００２５】
また、第１０の発明においては、音孔開閉部材は、第１音孔および第３音孔を同時に閉塞させることが可能で、かつ、第２音孔および第４音孔を同時に閉塞させることが可能な大きさの板状部材であってもよい。このとき、電子機器は、音孔開閉部材が第１音孔および第３音孔を閉塞させる状態と、音孔開閉部材が第２音孔および第４音孔を閉塞させる状態とを相互に変化可能に音孔開閉部材を支持する支持機構をさらに備える。
【００２６】
また、第１１の発明においては、支持機構は、音孔開閉部材を画面に対して垂直な軸で回転可能に支持するようにしてもよい。
【００２７】
また、第１２の発明においては、支持機構は、音孔開閉部材を回転させるための駆動力を発生させる発生手段を有していてもよい。このとき、電子機器は、駆動力発生手段を制御することによって音孔開閉部材の回転を制御する回転制御部と、画面に表示すべき画像が画面の縦方向に表示されるか横方向に表示されるかを検出する表示方向検出部と、画面の縦方向に画像が表示されることが検出された場合、音孔開閉部材が第１音孔および第３音孔を閉塞する状態となるように回転制御部に対して指示を行い、画面の横方向に画像が表示されることが検出された場合、音孔開閉部材が第２音孔および第４音孔を閉塞する状態となるように回転制御部に対して指示を行う方向指示部とをさらに備える。
【００２８】
また、第１３の発明においては、第１スピーカは、第１音孔までの距離と第２音孔までの距離とが等しくなる位置に配置されてもよい。第２スピーカは、第３音孔までの距離と第４音孔までの距離とが等しくなる位置に配置される。
【００２９】
また、第１４の発明においては、電子機器は、第１スピーカに入力される音声信号に対して所定のフィルタ特性でフィルタ処理を行うとともに、第２スピーカに入力される音声信号に対して所定のフィルタ特性でフィルタ処理を行うことによって、第１スピーカから再生される音および第２スピーカから再生される音による音像の位置を制御する制御フィルタ部をさらに備えていてもよい。
【００３０】
また、第１５の発明は、縦長形状の画面を有する表示装置と、第１マイクロフォンと、第２マイクロフォンと、所定の距離離れた間隔で配置される第１マイクロフォンおよび第２マイクロフォンを、画面に対して縦方向に並べた向きと横方向に並べた向きとを相互に変化可能に支持する支持機構とを備える、携帯型の電子機器である。
【００３１】
また、第１６の発明は、縦長形状の画面を有する表示装置と、内部に空間が形成される形状を有する第１筐体と、第１筐体の内部空間に配置される第１マイクロフォンと、内部に空間が形成される形状を有する第２筐体と、第２筐体の内部空間に配置される第２マイクロフォンと、第１筐体および第２筐体の各開口部を覆うように配置され、第１筐体の内部空間と外部とを接続する第１音孔と、第２筐体の内部空間と外部とを接続する第２音孔とが設けられた音孔形成部材と、第１音孔および第２音孔が画面に対して縦方向に並んだ向きと横方向に並んだ向きとを相互に変化可能となるように音孔形成部材を支持する支持機構とを備える、携帯型の電子機器である。
【００３２】
また、第１７の発明は、縦長形状の画面を有する表示装置と、内部に空間が形成される形状を有し、内部空間と外部とを接続する第１音孔および第２音孔が設けられる第１筐体と、第１筐体の内部空間に配置される第１マイクロフォンと、内部に空間が形成される形状を有し、内部空間と外部とを接続するとともに第１音孔と画面に対して縦方向に並ぶ位置に位置する第３音孔と、内部空間と外部とを接続するとともに第２音孔と画面に対して横方向に並ぶ位置に位置する第４音孔とが設けられる第２筐体と、第２筐体の内部空間に配置される第２マイクロフォンと、第１音孔、第２音孔、第３音孔および第４音孔を開閉可能な音孔開閉部材とを備える、携帯型の電子機器である。
【発明の効果】
【００３３】
本発明に係る電子機器によれば、２つのスピーカを用いた簡易な構成で、縦長の向きおよび横長の向きのいずれの使用形態の場合であっても、良好な再生音を得ることができる。特に、２つのスピーカを用いて音像制御を行う場合には、縦長の向きおよび横長の向きのいずれの使用形態の場合であっても、同じフィルタ係数を用いることができる。また、２つのマイクロフォンを用いた簡易な構成で、縦長の向きおよび横長の向きのいずれの使用形態の場合であっても、良好な収録音を得ることができる。
【発明を実施するための最良の形態】
【００３４】
以下本発明の実施形態について、図面を参照しながら説明する。以下では、本発明に係る携帯型の電子機器の一例である携帯電話機を例として説明するが、本発明は任意の携帯型の電子機器に適用することができる。
【００３５】
（第１の実施形態）
図１Ａおよび図１Ｂは、本発明の第１の実施形態に係る携帯電話機の外観を示す図である。図１Ａは、携帯電話機を背面から見たときの外観を示し、図１Ｂは、携帯電話機を正面から見たときの外観を示す。図１Ａおよび図１Ｂに示す携帯電話機１０１は、機器筐体１０２、支持部１０３、第１スピーカ１０４、第２スピーカ１０５、およびディスプレイ（表示装置）１０８を備えている。ディスプレイ１０８の画面は略矩形形状であり、一方の辺が他方の辺よりも長い形状（長手方向を有する形状）である。
【００３６】
図１に示す携帯電話機１０１は、縦長形態および横長形態という２つの形態で利用される。縦長形態とは、矩形のディスプレイ１０８がユーザから見て縦長になる向きで携帯電話機１０１が使用されるときの使用形態である。例えば、着信メロディや音楽を再生する際、携帯電話機１０１は縦長形態で使用される。一方、横長形態とは、ディスプレイ１０８がユーザから見て横長になる向きで携帯電話機１０１が使用されるときの使用形態である。例えば、テレビ放送などの映像コンテンツを視聴する場合やゲームを行う場合、携帯電話機１０１は横長形態で使用される。
【００３７】
図２は、図１Ａに示す携帯電話機１０１の背面付近の断面（Ａ−Ｂ断面）図である。なお、図２（ａ）においては、各スピーカ１０４および１０５が設置される部分についての構造を詳細に示している。携帯電話機１０１は、ディスプレイ１０８に表示される画像を生成するための回路や、ＣＰＵおよびメモリ等を備えているが、本発明に直接関連しない構成については図示せず説明を省略する。図２（ａ）に示すように、携帯電話機１０１は、回転軸１０９およびモータ１１０を備えている。
【００３８】
支持部１０３は、円板状の形状を有しており、各スピーカ１０４および１０５に接続される。支持部１０３には音孔１０６および１０７が設けられる。各音孔１０６および１０７は、円形である支持部１０３の中心に対して対象となる位置に設けられる。第１スピーカ１０４は、音孔１０６を塞ぐように支持部１０３に接続される。第２スピーカ１０５は、音孔１０７を塞ぐように支持部１０３に接続される。第１スピーカ１０４から発せられる音は音孔１０６を経由して携帯電話機１０１の外部に発せられ、第２スピーカ１０５から発せられる音は音孔１０７を経由して携帯電話機１０１の外部に発せられる。
【００３９】
なお、各スピーカ１０４および１０５は、音孔に接続される上面側から音を放射し、機器筐体１０２と支持部１０３との間に形成される空間には音を漏らさないように構成されることが好ましい。図２（ｂ）は、第１スピーカ１０４の詳細な構成の一例を示す図である。図２においては、スピーカ１０４は、壺型のヨーク１２１と、ヨーク１２１の中央部に設けられたマグネット１２２と、マグネット１２２の上面に配置されたプレート１２３と、中央部がヨーク１２１の外周下面と固着されるフレーム１２４と、外周部がフレーム１２４に固着された振動板１２５と、振動板１２５の中央部に接合されたボイスコイル１２６とを備える。ボイスコイル１２６は、ヨーク１２１の内周面とプレート１２３の外周面との間に形成される磁気空間中に配置されるように振動板１２５に接合される。フレーム１２４の上面は、第１スピーカ１０４が音孔１０６をふさぐように、支持部１０３に取り付けられる。なお、図２（ｂ）では第１スピーカ１０４の構成を示したが、第２スピーカ１０５もスピーカ１０４と同様の構成である。以上のように、各スピーカ１０４および０５において、音孔を塞ぐように支持部１０３に取り付けられるフレーム１２４を設け、振動板および振動板を振動させる機構（磁気回路やコイル等）を当該フレーム１２４の内部に設けることによって、スピーカの音を当該スピーカが取り付けられる音孔からのみ外部に出射させることができる。また、一方のスピーカからの再生音が他方のスピーカからの再生音に与える影響を低減することができる。なお、図２（ｂ）に示したスピーカの構成は一例であり、各スピーカ１０４および１０５は、動電型スピーカであってもよいし、例えば圧電型、静電型、電磁型などのスピーカであってもよい。
【００４０】
一方、機器筐体１０２は、携帯電話機１０１の筐体である。機器筐体１０２の背面には円形の穴が設けられており、この穴とほぼ等しい円形の面を有する支持部１０３が当該穴に配置される。支持部１０３は、それ自身が回転可能なように機器筐体１０２に支持される。図２では、支持部１０３は、その中心軸を中心としてｚ軸周りに回転することが可能であるように支持されている。なお、図２では、ディスプレイ１０８の画面に垂直な方向をｚ軸方向としている。本実施形態では、支持部１０３は、回転軸１０９およびモータ１１０によって、ディスプレイ１０８の画面に対して垂直な軸で回転可能に支持されている。具体的には、支持部１０３は回転軸１０９に接続されており、回転軸１０９は、モータ１１０に接続されている。モータ１１０は、例えば機器筐体１０２に接続されることによって携帯電話機１０１に固定されている。モータ１１０は、支持部１０３を回転させるための駆動力を発生する駆動力発生手段の一例であり、回転軸１０９を回転させる。つまり、モータ１１０は、回転軸１０９を介して接続された支持部１０３を回転させることが可能である。
【００４１】
以上の構成によって、支持部１０３、回転軸１０９およびモータ１１０は、２つのスピーカ１０４および１０５を支持する支持機構として機能することとなる。この支持機構によって、２つのスピーカ１０４および１０５は、ディスプレイ１０８の画面に対して縦方向に並んだ向きと、画面に対して横方向に並んだ向きとが相互に変化可能となるように支持されることとなる。
【００４２】
なお、支持部１０３は、少なくとも９０°回転することが可能であればよく、３６０°回転可能である必要はない。本実施形態では、支持部１０３は、図１Ａに示す状態から左回りに９０°回転可能であるとする。なお、以下では、図１Ａに示す状態、すなわち、２つのスピーカ１０４および１０５がディスプレイ１０８の長辺方向（図１Ａに示す縦方向）に対して垂直に並んでいる状態を「第１状態」と呼ぶ。また、図１Ａに示す状態から支持部１０３が左回りに９０°回転した状態、すなわち、２つのスピーカ１０４および１０５がディスプレイ１０８の長辺方向（図１Ａに示す縦方向）に対して平行に並んでいる状態を「第２状態」と呼ぶ。
【００４３】
図３は、携帯電話機１０１の機能的な構成を示すブロック図である。携帯電話機１０１は、表示方向検出部１１１、方向指示部１１２、および回転制御部１１３を備えている。
【００４４】
表示方向検出部１１１は、ディスプレイ１０８に表示される画像の表示方向を検出する。つまり、ディスプレイ１０８に表示される画像がディスプレイ１０８の縦方向に表示されているか、それとも横方向に表示されているかを検出する。換言すれば、表示方向検出部１１１は、携帯電話機１０１が上記縦長形態で使用されているか、それとも、横長形態で使用されているかを検出する。
【００４５】
携帯電話機１０１に、例えばテレビ放送を視聴する「テレビモード」および音楽を再生する「音楽モード」が用意されている場合、いずれのモードが現在設定されているかを示す情報がメモリ等の記憶装置に記憶されている。表示方向検出部１１１は、現在設定されているモードを示す情報と、当該モードにおいて画像を表示すべき表示方向を示す情報とを対応付けた対応情報を記憶しておく。表示方向検出部１１１は、この対応情報を参照して、現在設定されているモードから、画像の表示方向を検出する。なお、ここでは、用意されているモードが２種類の場合について説明したが３種類以上のモードが用意されている場合も同様である。すなわち、対応情報においては、各モードを示す情報と、当該モードが現在設定されている場合において画像を表示すべき表示方向を示す情報とを対応付けておけばよい。また、ディスプレイ１０８に画像が表示される表示方向を検出する方法は、どのような方法であってもよい。表示方向検出部１１１は、検出した表示方向（縦方向または横方向）を示すデータを方向指示部１１２に出力する。
【００４６】
方向指示部１１２は、表示方向検出部１１１によって検出された表示方向に基づいて、２つのスピーカ１０４および１０５の配置方向を決定する。スピーカの配置方向とは、２つのスピーカ１０４および１０５を並べて配置するときの方向である。具体的には、スピーカの配置方向は、縦方向または横方向である。「スピーカの配置方向が横方向である」とは、縦長のディスプレイ１０８に対して（矩形のディスプレイ１０８の長辺方向を縦方向として）横方向に並べて２つのスピーカ１０４および１０５を配置することを意味する。つまり、「スピーカの配置方向が横方向である」とは、上記第１状態を意味する。一方、「スピーカの配置方向が縦方向である」とは、縦長のディスプレイ１０８に対して（矩形のディスプレイ１０８の長辺方向を縦方向として）縦方向に並べて２つのスピーカ１０４および１０５を配置することを意味する。つまり、「スピーカの配置方向が縦方向である」とは、上記第２状態を意味する。
【００４７】
方向指示部１１２は、表示方向検出部１１１によって検出された表示方向が縦方向である場合、スピーカの配置方向を横方向（第１状態）に決定する。一方、表示方向検出部１１１によって検出された表示方向が横方向である場合、スピーカの配置方向を縦方向（第２状態）に決定する。つまり、方向指示部１１２は、ディスプレイ１０８に画像が表示される表示方向に対して垂直な方向を、スピーカの配置方向とする。方向指示部１１２は、スピーカの配置方向を決定すると、決定した配置方向に応じた指示（回転指示）を回転制御部１１３に対して行う。
【００４８】
回転制御部１１３は、方向指示部１１２からの回転指示に従ってモータ１１０を制御する。具体的には、配置方向を横方向にする旨の回転指示を受け取った場合、回転制御部１１３は、上記第１状態となるようにモータ１１０を制御することによって支持部１０３を回転させる。また、配置方向を縦方向にする旨の回転指示を受け取った場合、回転制御部１１３は、上記第２状態となるようにモータ１１０を制御することによって支持部１０３を回転させる。
【００４９】
以上の構成によって、表示方向検出部１１１が表示方向を検出した場合、当該表示方向に応じた配置方向となるように２つのスピーカ１０４および１０５の配置が変更されることとなる。
【００５０】
具体的には、上記「音楽モード」の場合には、表示方向検出部１１１は表示方向が縦方向であることを検出し、方向指示部１１２は配置方向を横方向に決定する。その結果、回転制御部１１３は、第１状態となるように支持部１０３を回転させる。これによって、２つのスピーカ１０４および１０５は、縦長のディスプレイ１０８に対して横方向に並んで配置される。なお、図１Ａは、音楽モードのとき（縦長形態のとき）のスピーカ１０４および１０５の配置を示している。音楽モードの場合、ユーザは携帯電話機１０１を縦に向けた姿勢（ディスプレイ１０８が縦長の向きになる姿勢）で使用するが、この場合、スピーカ１０４および１０５は、横向きに平行に配置されることとなる。
【００５１】
一方、上記「テレビモード」の場合には、表示方向検出部１１１は表示方向が横方向であることを検出し、方向指示部１１２は配置方向を縦方向に決定する。その結果、回転制御部１１３は、第２状態となるように支持部１０３を回転させる。これによって、２つのスピーカ１０４および１０５は、縦長のディスプレイ１０８に対して縦方向に並んで配置される。図４は、テレビモードのとき（横長形態のとき）のスピーカ１０４および１０５の配置を示す図である。テレビモードの場合、ユーザは携帯電話機１０１を横に向けた姿勢（ディスプレイ１０８が横長の向きになる姿勢）で使用するが、この場合、スピーカ１０４および１０５は、横向きに平行に配置されることとなる。
【００５２】
以上のように、第１の実施形態によれば、ディスプレイ１０８を縦長の向きに使用する場合（縦長形態で利用する場合）であっても横長の向きに使用する場合（横長形態で使用する場合）であっても、２つのスピーカ１０４および１０５は、横向きに平行に配置されることとなる。さらに、縦長形態および横長形態のいずれの場合であっても、２つのスピーカ１０４および１０５の間の距離は変化しない。つまり、縦長形態および横長形態のいずれの場合であっても、２つのスピーカ１０４および１０５の位置関係は全く変化しない。それ故、本実施形態に係る携帯電話機においては、縦長形態および横長形態のいずれの場合であっても、２つのスピーカによる簡易な構成で良好な再生音を得ることができる。また、本実施形態において音像制御を行う場合、音像制御を行うための制御フィルタのフィルタ係数は、１種類のみ用意すればよいので、フィルタ係数を記憶しておくための携帯電話機１０１のメモリ量を低減することができる。
【００５３】
また、本実施形態においては、スピーカの配置位置の切り替えは、表示方向検出部１１１によって画像の表示方向が検出されることによって自動的に行われるので、ユーザは、スピーカの配置位置を切り替える操作を行わなくてもよい。
【００５４】
なお、他の実施形態においては、支持部の回転は、ディスプレイの使用形態に応じてユーザが手動で行ってもよい。すなわち、携帯電話機１０１は、スピーカ筐体を回転自在に支持する機構のみを有していればよく、表示方向検出部１１１、方向指示部１１２および回転制御部１１３を備えていない構成であってもよい。
【００５５】
また、本実施形態では、支持部１０３を回転可能に支持することによって、２つのスピーカ１０４および１０５の並ぶ方向を変化させた。ここで、２つのスピーカ１０４および１０５は、ディスプレイ１０８の画面に対して縦方向に並んだ向きと横方向に並んだ向きとが相互に変化可能となるように支持されればよい。例えば、他の実施形態においては、支持部１０３を携帯電話機１０１に対して着脱可能な構成とし、さらに、２つのスピーカ１０４および１０５がディスプレイ１０８の画面に対して縦方向に並んだ向きに装着することが可能であるとともに、２つのスピーカ１０４および１０５がディスプレイ１０８の画面に対して横方向に並んだ向きに装着することが可能であるようにスピーカ筐体１０３を構成するようにしてもよい。これによっても、２つのスピーカ１０４および１０５の並ぶ向きを変化させることができる。
【００５６】
（第２の実施形態）
以下、第２の実施形態に係る携帯電話機について図５〜図７を用いて説明する。第２の実施形態に係る携帯電話機は、縦長形態と横長形態とでスピーカの配置を変化させるのではなく、スピーカの再生音を携帯電話機の外部空間に放射する音孔の配置を変化させる。これによっても、スピーカの配置を変化させる場合と同様の効果を得ることができる。以下、詳細を説明する。
【００５７】
図５は、第２の実施形態に係る携帯電話機の外観を示す図である。図５は、携帯電話機を背面から見たときの外観を示している。図５に示す携帯電話機２０１は、機器筐体１０２、スピーカ筐体２０３、音孔形成部材２１１、第１スピーカ１０４、および第２スピーカ１０５を備えている。なお、図５〜図７においては、図１Ａと同様の構成要素については図１Ａと同様の参照符号を付している。図５においては図示していないが、携帯電話機２０１も携帯電話機１０１と同様、ディスプレイ１０８と同様のディスプレイを正面側に備えている。以下、携帯電話機２０１について第１の実施形態との相違点を中心に説明する。
【００５８】
図６は、図５に示す携帯電話機２０１の背面付近の断面（Ｃ−Ｄ断面）図である。なお、図６においては、スピーカ筐体２０３が設置される部分についての構造を詳細に示している。なお、本発明に直接関連しない構成については図示せず説明を省略する。図６に示すように、携帯電話機２０１は、回転軸２０９およびモータ１１０を備えている。
【００５９】
第２の実施形態において、スピーカ筐体２０３は、内部に空間を有する円柱状の外形を有している。スピーカ筐体２０３は、上面開口でかつ有底の形状である。第２の実施形態においては、スピーカ筐体２０３は、機器筐体１０２に固定されている。スピーカ筐体２０３の内部空間は、図５に示す仕切り２０３ａによって２つの空間２０３ｂおよび２０３ｃに仕切られている。２つのスピーカ１０４および１０５は、２つの空間のそれぞれに１つずつ配置される。したがって、スピーカ筐体２０３は、第１スピーカが内部に配置される第１筐体と、第２スピーカが内部に配置される第２筐体とからなる。２つの空間２０３ｂおよび２０３ｃは同じ容積である。なお、第２の実施形態においても第１の実施形態と同様、各スピーカ１０４および１０５は、スピーカ筐体２０３の中心軸からの距離が互いに等しくなる位置に配置されている。
【００６０】
音孔形成部材２１１は、スピーカ筐体２０３の開口部を覆うように配置される。音孔形成部材２１１には、音孔１０６および１０７が設けられている。第１筐体の内部の空間２０３ｂは音孔１０６を通じて携帯電話機１０１の外部空間と接続されており、第２筐体の内部の空間２０３ｃは音孔１０７を通じて携帯電話機１０１の外部空間と接続されている。各空間２０３ｂおよび２０３ｃは、音孔１０６および１０７以外の場所から音が漏れないよう、音孔１０６および１０７以外の部分は密閉されていることが好ましい。
【００６１】
また、スピーカ筐体２０３は、円柱状の中心軸部分に空隙を有している。回転軸２０９は、当該空隙を通って音孔形成部材２１１に接続されている。したがって、音孔形成部材２１１は回転軸２０９およびモータ１１０によって回転可能に支持されている。以上の構成によって、回転軸２０９およびモータ１１０は、音孔形成部材２１１を支持する支持機構として機能することとなる。この支持機構によって、音孔形成部材２１１は、音孔１０６および１０７がディスプレイ１０８の画面に対して縦方向に並んだ向きと、音孔１０６および１０７が画面に対して横方向に並んだ向きとが相互に変化可能となるように支持される。
【００６２】
なお、音孔形成部材２１１は、少なくとも９０°回転することが可能であればよく、３６０°回転可能である必要はない。本実施形態では、音孔形成部材２１１は、図５に示す状態から左回りに９０°回転可能であるとする。したがって、第２の実施形態においては、第１状態とは、２つの音孔１０６および１０７がディスプレイ１０８の長辺方向（図５に示す縦方向）に対して垂直に並んでいる状態である。また、第２状態とは、２つの音孔１０６および１０７がディスプレイ１０８の長辺方向（図５に示す縦方向）に対して平行に並んでいる状態である。
【００６３】
なお、携帯電話機２０１は、図３に示した表示方向検出部１１１および方向指示部１１２を有している。したがって、上記「音楽モード」の場合には、表示方向検出部１１１は表示方向が縦方向であることを検出し、方向指示部１１２は配置方向を横方向に決定する。その結果、回転制御部１１３は、第１状態となるようにスピーカ筐体１０３を回転させる。これによって、２つの音孔１０６および１０７は、縦長のディスプレイに対して横方向に並んで配置される。なお、図５は、音楽モードのとき（縦長形態のとき）の音孔１０６および１０７の配置を示している。音楽モードの場合、ユーザは携帯電話機１０１を縦に向けた姿勢（ディスプレイが縦長の向きになる姿勢）で使用するが、この場合、音孔１０６および１０７は、横向きに平行に配置されることとなる。
【００６４】
一方、上記「テレビモード」の場合には、表示方向検出部１１１は表示方向が横方向であることを検出し、方向指示部１１２は配置方向を縦方向に決定する。その結果、回転制御部１１３は、第２状態となるようにスピーカ筐体１０３を回転させる。これによって、２つの音孔１０６および１０７は、縦長のディスプレイに対して縦方向に並んで配置される。図７は、テレビモードのとき（横長形態のとき）の音孔１０６および１０７の配置を示す図である。テレビモードの場合、ユーザは携帯電話機１０１を横に向けた姿勢（ディスプレイが横長の向きになる姿勢）で使用するが、この場合、音孔１０６および１０７は、横向きに平行に配置されることとなる。
【００６５】
以上のように、第２の実施形態によれば、ディスプレイ１０８を縦長の向きに使用する場合（縦長形態で利用する場合）であっても横長の向きに使用する場合（横長形態で使用する場合）であっても、２つの音孔１０６および１０７は、横向きに平行に配置されることとなる。これによって、携帯電話機２０１からその外部空間へ音が発せられる位置を可変とすることができるので、２つのスピーカを横向きに平行に配置した場合と同等の効果を得ることができる。また、第２の実施形態によれば、音孔形成部材２１１のみを回転させるので、第１の実施形態よりも回転可能な構成点数が少なく、回転機構の構成を簡易にすることができる。
【００６６】
なお、第２の実施形態では、各音孔１０６および１０７が第１状態にある場合と第２状態にある場合とで、音孔とスピーカとの位置関係が異なっていた。すなわち、第１状態にある場合には音孔はスピーカの真上に位置する（図５参照）一方、第２状態にある場合には音孔はスピーカの真上に位置しない（図７参照）。そのため、スピーカが含まれる空間における音の反射態様が第１状態と第２状態とでは異なるので、音響特性が第１状態と第２状態とで異なってしまうという問題がある。この問題は特に高周波領域で顕著となる。
【００６７】
そこで、上記問題を解決するため、各スピーカ１０４および１０５を図８Ａおよび図８Ｂに示すように配置するようにしてもよい。図８Ａおよび図８Ｂは、第２の実施形態における変形例である携帯電話機２０１の外観を示す図である。図８Ａは音孔が第１状態にある場合の携帯電話機２０１を示す図であり、図８Ｂは音孔が第２状態にある場合の携帯電話機２０１を示す図である。図８Ａおよび図８Ｂに示すように、本変形例では、各スピーカ１０４および１０５は斜めに配置されている。各スピーカ１０４および１０５をこのように配置することによって、音孔が第１状態にある場合であっても第２状態にある場合であっても、音孔はスピーカの斜め上方に位置し、音孔とスピーカとの位置関係が変わらない。以上のように、スピーカから音孔までの距離が第１状態と第２状態とで同じになるように配置することによって、縦長形態での使用時と横長形態での使用時とにおける音響特性の差を少なくすることができる。
【００６８】
なお、本実施形態においては、音孔の配置位置の切り替えは、表示方向検出部１１１によって画像の表示方向が検出されることによって自動的に行われるので、ユーザは、スピーカの配置位置を切り替える操作を行わなくてもよい。
【００６９】
なお、他の実施形態においては、音孔形成部材２１１の回転は、ディスプレイの使用形態に応じてユーザが手動で行ってもよい。すなわち、携帯電話機２０１は、音孔形成部材を回転自在に支持する機構のみを有していればよく、表示方向検出部１１１、方向指示部１１２および回転制御部１１３を備えていない構成であってもよい。
【００７０】
また、本実施形態では、音孔形成部材２１１を回転可能に支持することによって、２つの音孔の並ぶ方向を変化させた。ここで、音孔形成部材は、第１音孔および第２音孔がディスプレイの画面に対して縦方向に並んだ向きと横方向に並んだ向きとを相互に変化可能となるように支持されればよい。例えば、他の実施形態においては、音孔形成部材を携帯電話機に対して着脱可能な構成とし、さらに、２つの音孔がディスプレイの画面に対して縦方向に並んだ向きに装着することが可能であるとともに、２つの音孔がディスプレイの画面に対して横方向に並んだ向きに装着することが可能であるように音孔形成部材を構成するようにしてもよい。これによっても、２つの音孔の並ぶ向きを変化させることができる。
【００７１】
（第３の実施形態）
以下、第３の実施形態に係る携帯電話機について図９から図１１を用いて説明する。第３の実施形態に係る携帯電話機は、第２の実施形態に係る携帯電話機と同様、音孔の配置を変化させるものである。ただし、第３の実施形態では、音孔の位置を移動させるのではなく、音孔の開閉によって音孔の配置を変化させる。これによっても、スピーカの配置を変化させる場合と同様の効果を得ることができる。以下、詳細を説明する。
【００７２】
図９は、第３の実施形態に係る携帯電話機の外観を示す図である。図９は、携帯電話機を背面から見たときの外観を示している。図９に示す携帯電話機３０１は、機器筐体１０２、スピーカ筐体３０３、第１スピーカ１０４、第２スピーカ１０５、および音孔開閉部材３１１を備えている。また、携帯電話機３０１のスピーカ筐体３０３には、４つの音孔１０６、１０６’、１０７、および１０７’が設けられている。なお、図９〜図１１においては、図１Ａまたは図５と同様の構成要素については図１Ａまたは図５と同様の参照符号を付している。図９においては図示していないが、携帯電話機３０１も携帯電話機１０１と同様、ディスプレイ１０８と同様のディスプレイを正面側に備えている。以下、携帯電話機３０１について第１および第２の実施形態との相違点を中心に説明する。
【００７３】
図１０は、図９に示す携帯電話機３０１の背面付近の断面（Ｅ−Ｆ断面）図である。なお、図１０においては、スピーカ筐体３０３が設置される部分についての構造を詳細に示している。なお、本発明に直接関連しない構成については図示せず説明を省略する。図１０に示すように、携帯電話機３０１は、回転軸３０９およびモータ１１０を備えている。
【００７４】
スピーカ筐体３０３は、内部に空間を有する円柱状の外形を有している。スピーカ筐体３０３の内部空間は、図９に示す仕切り３０３ａによって２つの空間３０３ｂおよび３０３ｃに仕切られている。２つのスピーカ１０４および１０５は、２つの空間３０３ｂおよび３０３ｃのそれぞれに１つずつ配置される。したがって、スピーカ筐体２０３は、第１スピーカが内部に配置される第１筐体と、第２スピーカが内部に配置される第２筐体とからなる。２つの空間３０３ｂおよび３０３ｃは同じ容積である。
【００７５】
スピーカ筐体３０３には、携帯電話機３０１の外部空間に面する位置に４つの音孔１０６、１０６’、１０７、および１０７’が設けられている。空間３０３ｂは音孔１０６および１０６’を通じて携帯電話機１０１の外部空間と接続されており、空間２０３ｃは音孔１０７および１０７’を通じて携帯電話機１０１の外部空間と接続されている。各空間３０３ｂおよび３０３ｃは、音孔以外の場所から音が漏れないよう、音孔以外の部分は密閉されていることが好ましい。なお、スピーカ１０４および１０５の配置は第２の実施形態と同様である。
【００７６】
第３の実施形態においては、音孔開閉部材３１１は、板状部材であり、スピーカ筐体３０３の上面に配置される。音孔開閉部材３１１は、音孔１０６および音孔１０７を同時に閉塞させることが可能で、かつ、音孔１０６’および１０７’を同時に閉塞させることが可能である。また、スピーカ筐体３０３は、円柱状の中心軸部分に空隙を有している。回転軸３０９は、空隙を通って音孔開閉部材３１１に接続されている。したがって、音孔開閉部材３１１は回転軸３０９によって回転可能に支持されている。
【００７７】
以上の構成によって、回転軸３０９およびモータ１１０は、音孔開閉部材３１１を支持する支持機構として機能することとなる。この支持機構によって、音孔開閉部材３１１は、音孔１０６および１０７を閉塞させる状態と、音孔１０６’および１０７’を閉塞させる状態とを相互に変化可能に支持されることとなる。
【００７８】
第３の実施形態においても第１の実施形態と同様、携帯電話機３０１は、図３に示した表示方向検出部１１１、方向指示部１１２、回転制御部１１３を備えている。
【００７９】
次に、携帯電話機３０１の動作を説明する。上記「音楽モード」の場合には、表示方向検出部１１１は表示方向が縦方向であることを検出し、方向指示部１１２は配置方向を横方向に決定する。このとき、方向指示部１１２は、配置方向を横方向にする旨の回転指示を回転制御部１１３に対して送信する。配置方向を横方向にする旨の回転指示を受信した場合、回転制御部１１３は、音孔１０６’および１０７’を閉じ、音孔１０６および１０７を開ける向きとなるように音孔開閉部材３１１の向きを制御する。これによって、縦長のディスプレイに対して横方向に並んで配置される２つの音孔１０６および１０７が形成されることとなる。なお、図９は、音楽モードのとき（縦長形態のとき）の音孔開閉部材３１１の配置を示している。音楽モードの場合、ユーザは携帯電話機１０１を縦に向けた姿勢（ディスプレイが縦長の向きになる姿勢）で使用するが、この場合、音孔１０６および１０７は、横向きに平行に配置されることとなる。
【００８０】
一方、上記「テレビモード」の場合には、表示方向検出部１１１は表示方向が横方向であることを検出し、方向指示部１１２は配置方向を縦方向に決定する。このとき、方向指示部１１２は、配置方向を縦方向にする旨の回転指示を回転制御部１１に対して送信する。配置方向を縦方向にする旨の回転指示を受信した場合、回転制御部１１３は、音孔１０６および１０７を閉じ、音孔１０６’および１０７’を開ける向きとなるように音孔開閉部材３１１の向きを制御する。これによって、縦長のディスプレイに対して縦方向に並んで配置される２つの音孔１０６’および１０７’が形成されることとなる。図１１は、テレビモードのとき（横長形態のとき）の音孔開閉部材３１１の配置を示す図である。テレビモードの場合、ユーザは携帯電話機１０１を縦に向けた姿勢（ディスプレイが縦長の向きになる姿勢）で使用するが、この場合、音孔１０６’および１０７’は、横向きに平行に配置されることとなる。
【００８１】
以上のように、第３の実施形態によれば、ディスプレイ１０８を縦長の向きに使用する場合（縦長形態で利用する場合）であっても横長の向きに使用する場合（横長形態で使用する場合）であっても、２つの音孔（音孔１０６および１０７、または、音孔１０６’および１０７’）は、横向きに平行に配置されることとなる。これによって、携帯電話機３０１からその外部空間へ音が発せられる位置を可変とすることができるので、２つのスピーカを横向きに平行に配置した場合と同等の効果を得ることができる。
【００８２】
また、本実施形態においては、音孔の配置位置の切り替えは、表示方向検出部１１１によって画像の表示方向が検出されることによって自動的に行われるので、ユーザは、スピーカの配置位置を切り替える操作を行わなくてもよい。
【００８３】
なお、他の実施形態においては、音孔開閉部材３１１の回転は、ディスプレイの使用形態に応じてユーザが手動で行ってもよい。すなわち、携帯電話機３０１は、音孔を開閉自在な音孔開閉部材を有していればよく、表示方向検出部１１１、方向指示部１１２および回転制御部１１３を備えていない構成であってもよい。
【００８４】
また、第３の実施形態において、スピーカ１０４および１０５は図８Ａおよび図８Ｂと同様の位置に配置されてもよい。すなわち、第１スピーカ１０４は、第１スピーカ１０４から音孔１０６までの距離と、第１スピーカ１０４から音孔１０６’までの距離とが等しくなる位置に配置されてもよい。また、第２スピーカ１０５は、第２スピーカ１０５から音孔１０７までの距離と、第２スピーカ１０５から音孔１０７’までの距離とが等しくなる位置に配置されてもよい。これによって、図８Ａおよび図８Ｂに示した場合と同様、縦長形態での使用時と横長形態での使用時とにおける音響特性の差を少なくすることができる。
【００８５】
なお、第３の実施形態では、回転可能に支持される１つの音孔開閉部材３１１を用いて４つの音孔の開閉を制御したが、他の実施形態においては、各音孔の１つずつについてそれぞれ音孔開閉部材を設けるようにしてもよい。具体的には、携帯電話機は、音孔１０６を開閉することが可能な第１音孔開閉部材と、音孔１０６’を開閉することが可能な第２音孔開閉部材と、音孔１０７を開閉することが可能な第３音孔開閉部材と、音孔１０７’を開閉することが可能な第４音孔開閉部材とを別個に備えるようにしてもよい。また、第１〜第４音孔開閉部材による開閉動作は、上記表示方向検出部１１１、方向指示部１１２および回転制御部１１３によって制御されてもよいし、ユーザが手動で行うものであってもよい。
【００８６】
また、音孔を開閉する具体的な構成はどのような構成であってもよい。図１２Ａおよび図１２Ｂは、音孔開閉部材の具体的な構造の例を示す図である。音孔開閉部材３２１は、図１２Ａに示すように、溝３２２を自由にスライドすることによって音孔３２３を開閉する構造であってもよいし、一端が回動可能に支持されることによって音孔３２３を開閉する構造であってもよい。
【００８７】
また、上記第１〜第３の実施形態においては、携帯電話機の（画面が設けられる面を正面とした場合における）背面側から音を放射する形態とした。これによって、正面側に音孔等を設ける必要がないことから、正面側において画面を設けるスペースをより広くとることができる。なお、他の実施形態においては、正面側から音を放射する形態としてもよい。
【００８８】
なお、上記第１〜第３の実施形態においては、電子機器は、音像制御を行うための制御フィルタをさらに備えていてもよい。制御フィルタは、２つのスピーカに入力される音声信号に対してそれぞれ所定のフィルタ特性でフィルタ処理を行うことによって、各スピーカから再生される音による音像の位置を制御する。
【００８９】
なお、上記第１〜第３の実施形態においては、音声を再生するスピーカを備える電子機器を例として説明した。ここで、本発明は、スピーカを備える電子機器のみならず、マイクロフォンを備える電子機器に適用することが可能である。すなわち、第１〜第３の実施形態に係る電子機器は、スピーカに代えてマイクロフォンを備えるようにしてもよい。これによれば、電子機器を縦向きに使用する場合でも横向きに使用する場合でも、ステレオ感のある収録、および、信号分離された収録が可能となり、良好な収録が可能となる。
【産業上の利用可能性】
【００９０】
本発明は、２つのスピーカを用いた電子機器や、２つのマイクロフォンを用いた電子機器等において、良好な再生音または収録音を得ること等を目的として利用することが可能である。
【図面の簡単な説明】
【００９１】
【図１Ａ】本発明の第１の実施形態に係る携帯電話機の外観を示す図
【図１Ｂ】本発明の第１の実施形態に係る携帯電話機の外観を示す図
【図２】図１Ａに示す携帯電話機１０１の背面付近の断面図
【図３】携帯電話機１０１の機能的な構成を示すブロック図
【図４】テレビモードのときのスピーカ１０４および１０５の配置を示す図
【図５】第２の実施形態に係る携帯電話機の外観を示す図
【図６】図５に示す携帯電話機２０１の背面付近の断面図
【図７】テレビモードのときの音孔１０６および１０７の配置を示す図
【図８Ａ】第２の実施形態における変形例である携帯電話機２０１の外観を示す図
【図８Ｂ】第２の実施形態における変形例である携帯電話機２０１の外観を示す図
【図９】第３の実施形態に係る携帯電話機の外観を示す図
【図１０】図９に示す携帯電話機３０１の背面付近の断面図
【図１１】テレビモードのときの音孔開閉部材３１１の配置を示す図
【図１２Ａ】音孔開閉部材の具体的な構造の例を示す図
【図１２Ｂ】音孔開閉部材の具体的な構造の例を示す図
【図１３Ａ】２つのスピーカから音を再生する場合に頭部伝達関数を用いた従来の制御方式を説明するための図
【図１３Ｂ】２つのスピーカから音を再生する場合に頭部伝達関数を用いた従来の制御方式を説明するための図
【図１４】従来の電子機器を示す図
【図１５】従来の携帯端末を示す図
【符号の説明】
【００９２】
１０１，２０１，３０１  携帯電話機
１０２  機器筐体
１０３，２０３，３０３  スピーカ筐体
１０４  第１スピーカ
１０５  第２スピーカ
１０６，１０７，１０６’，１０７’  音孔
１０８  ディスプレイ
１０９，２０９，３０９  回転軸
１１０  モータ
１１１  表示方向検出部
１１２  方向指示部
１１３  回転制御部
２１１  音孔形成部材
３１１  音孔開閉部材
【図１Ａ】
2007067632.tif 000005
【図１Ｂ】
2007067632.tif 000006
【図２】
2007067632.tif 000007
【図３】
2007067632.tif 000008
【図４】
2007067632.tif 000009
【図５】
2007067632.tif 000010
【図６】
2007067632.tif 000011
【図７】
2007067632.tif 000012
【図８Ａ】
2007067632.tif 000013
【図８Ｂ】
2007067632.tif 000014
【図９】
2007067632.tif 000015
【図１０】
2007067632.tif 000016
【図１１】
2007067632.tif 000017
【図１２Ａ】
2007067632.tif 000018
【図１２Ｂ】
2007067632.tif 000019
【図１３Ａ】
2007067632.tif 000020
【図１３Ｂ】
2007067632.tif 000021
【図１４】
2007067632.tif 000022
【図１５】
2007067632.tif 000023